(57)【要約】      （修正有）【課題】交換時に工具を使用する必要がなく、固定機構に汚れが入り込みにくい、容器用の交換可能な軸固定式取っ手を提供する。【解決手段】軸固定式取っ手１は、容器６の外縁の連接部６１に組み合わせて取り付けられ、主に、ハンドル２と、キャップ３と、固定機構４を含み、キャップとハンドルが容器の連接部の頂部及び底部にそれぞれ設置され、かつハンドルまたはキャップのうちのいずれかが木材等の靭性を備えた材質で成り、固定機構が相互に螺合可能な第１螺合部４１と第２螺合部４２を備え、第１螺合部と第２螺合部がハンドルの頂部とキャップの底部にそれぞれ設置され、かつ固定機構が連接部の通孔６２に挿通されて、圧迫と螺合により連接部をハンドルとキャップの間に固定する。【選択図】図１３
0003233310.tif 000002
【実用新案登録請求の範囲】
【請求項１】
容器用の交換可能な軸固定式取っ手であって、前記容器外縁の連接部に組み合わせて取り付けられ、前記連接部に通孔が設けられ、前記取っ手が、ハンドルと、キャップと、固定機構を含み、
前記ハンドルが前記連接部の底部に設置され、
前記キャップが前記連接部の頂部に設置され、かつ前記ハンドルまたは前記キャップのうちのいずれかが木材等の靭性を備えた材質で成り、
前記固定機構が、相互に螺合可能な第１螺合部と第２螺合部を備え、前記第１螺合部と前記第２螺合部が前記ハンドルの頂部と前記キャップの底部にそれぞれ設置され、かつ前記固定機構が前記連接部の通孔に挿通されて、圧迫と螺合により前記連接部を前記ハンドルと前記キャップの間に固定する、
ことを特徴とする、容器用の交換可能な軸固定式取っ手。
【請求項２】
前記キャップと前記ハンドルの間に内側に凹陥した挟持空間が形成され、かつ前記取っ手の軸方向に垂直に前記挟持空間に連通したスロット部が設けられ、前記容器の連接部が前記挟持空間内に設置され、かつ前記挟持空間が少なくとも２つの壁面により前記連接部を保持する縁部を形成する、ことを特徴とする、請求項１に記載の容器用の交換可能な軸固定式取っ手。
【請求項３】
前記挟持空間と前記スロット部が、前記キャップに設けられた、ことを特徴とする、請求項２に記載の容器用の交換可能な軸固定式取っ手。
【請求項４】
前記挟持空間と前記スロット部が、前記ハンドルに設けられた、ことを特徴とする、請求項２に記載の容器用の交換可能な軸固定式取っ手。
【請求項５】
前記第１螺合部がスタッドボルトまたはネジのいずれかであり、前記第２螺合部がネジ孔またはナットのいずれかである、ことを特徴とする、請求項１に記載の容器用の交換可能な軸固定式取っ手。
【請求項６】
前記第１螺合部がネジ孔またはナットのいずれかであり、前記第２螺合部がスタッドボルトまたはネジのいずれかである、ことを特徴とする、請求項１に記載の容器用の交換可能な軸固定式取っ手。
【請求項７】
前記第２螺合部がネジである状態下で、前記ネジが前記ハンドルに軸方向に貫通して設置され、かつ前記ネジの頭部が前記ハンドルの底部に埋入され、前記ネジの先端部が前記ハンドルの頂部に露出される、ことを特徴とする、請求項６に記載の容器用の交換可能な軸固定式取っ手。
【請求項８】
前記キャップの頂部に斜面が設けられた、ことを特徴とする、請求項１に記載の容器用の交換可能な軸固定式取っ手。
【考案の詳細な説明】
【技術分野】
【０００１】
本考案は取っ手に関し、特に、工具を必要とせずに容器の開口部周縁の連接部に取り付けることができる、容器用の交換可能な軸固定式取っ手に関する。
【背景技術】
【０００２】
一般に容器は使用者が便利に手に持つことができるように、ほとんど容器の外縁に取っ手が設置されている。材質と製造工程の制限により、取っ手はほとんどが容器と一体成形されるか、別途加工(例：溶接)により取っ手を容器の外縁に固定している。しかしながら、上述の方法はカップの取っ手を交換できないという問題があり、取っ手または容器は損壊した場合、捨てるしかない。
【０００３】
また、交換可能な容器の取っ手の構造があるが、これは主に容器の外縁に通孔を備えた連接部が設置され、取っ手が連接部に対応する貫通孔を備え、前記貫孔と前記通孔にボルトを挿通してナットと螺合し、取っ手を容器の外縁に取り付けるものである。しかしながら、この方法は取っ手を交換するという目的を達成することはできるが、取っ手を交換するとき工具を使用して取っ手を容器から取り外す、または容器に取り付ける必要があり、操作上不便である。また、ボルトとナットの結合が取っ手の外部に露出されており、ボルトまたはナットと取っ手の接合箇所に汚れが入り込みやすい問題が生じる。
【考案の概要】
【考案が解決しようとする課題】
【０００４】
これに鑑み、本考案の主な目的は、現有の容器用の交換可能な軸固定式取っ手の組み立てに工具を用いて取っ手を容器の連接部に固定する必要があり、かつ固定後に固定部材が取っ手の外部に露出され、汚れが入り込みやすい問題を解決することができる、容器用の交換可能な軸固定式取っ手を提供することにある。
【課題を解決するための手段】
【０００５】
以下この考案について説明する。請求項１に記載する容器用の交換可能な軸固定式取っ手は、前記容器外縁の連接部に組み合わせて取り付けられ、前記連接部に通孔が設けられ、前記取っ手が主に、ハンドルと、キャップと、固定機構を含み、
前記ハンドルが前記連接部の底部に設置され、
前記キャップが前記連接部の頂部に設置され、かつ前記ハンドルまたは前記キャップのうちのいずれかが木材等の靭性を備えた材質で成り、
前記固定機構が、相互に螺合可能な第１螺合部と第２螺合部を備え、前記第１螺合部と前記第２螺合部が前記ハンドルの頂部と前記キャップの底部にそれぞれ設置され、かつ前記固定機構が前記連接部の通孔に挿通されて、圧迫と螺合により前記連接部を前記ハンドルと前記キャップの間に固定する。
【０００６】
請求項２に記載する容器用の交換可能な軸固定式取っ手は、請求項１におけるキャップと前記ハンドルの間に内側に凹陥した挟持空間が形成され、かつ前記取っ手の軸方向に垂直に前記挟持空間に連通したスロット部が設けられ、前記容器の連接部が前記挟持空間内に設置され、かつ前記挟持空間が少なくとも２つの壁面により前記連接部を保持する縁部を形成する。
【０００７】
請求項３に記載する容器用の交換可能な軸固定式取っ手は、請求項２における挟持空間と前記スロット部が、前記キャップに設けられる。
【０００８】
請求項４に記載する容器用の交換可能な軸固定式取っ手は、請求項２における挟持空間と前記スロット部が、前記ハンドルに設けられる。
【０００９】
請求項５に記載する容器用の交換可能な軸固定式取っ手は、請求項１における第１螺合部がスタッドボルトまたはネジのいずれかであり、前記第２螺合部がネジ孔またはナットのいずれかである。
【００１０】
請求項６に記載する容器用の交換可能な軸固定式取っ手は、請求項１における第１螺合部がネジ孔またはナットのいずれかであり、前記第２螺合部がスタッドボルトまたはネジのいずれかである。
【００１１】
請求項７に記載する容器用の交換可能な軸固定式取っ手は、請求項６における第２螺合部がネジである状態下で、前記ネジが前記ハンドルに軸方向に貫通して設置され、かつ前記ネジの頭部が前記ハンドルの底部に埋入され、前記ネジの先端部が前記ハンドルの頂部に露出される。
【００１２】
請求項８に記載する容器用の交換可能な軸固定式取っ手は、請求項１におけるキャップの頂部に斜面が設けられる。
【考案の効果】
【００１３】
これにより、前記固定機構が工具を使用せずに前記ハンドルと前記キャップを直接相互に螺合でき、かつ前記固定機構が前記ハンドルと前記キャップに直接設けられているため、本考案が容器に結合された後、固定機構が取っ手の外部に露出されず、汚れが入り込む問題の発生を回避することができる。
【図面の簡単な説明】
【００１４】
【図１】本考案の実施例の立体外観図である。
【図２】本考案の実施例の立体分解図である。
【図３】本考案の実施例の立体分解図である。
【図４】本考案の実施例の使用状態を示す立体外観図である。
【図５】本考案の実施例の使用状態を示す立体分解図である。
【図６】本考案の実施例の使用状態を示す断面図である。
【図７】本考案の実施例の立体分解図である。
【図８】本考案の実施例の立体分解図である。
【図９】本考案の実施例の立体分解図である。
【図１０】本考案の実施例の使用状態を示す断面図である。
【図１１】本考案の実施例の使用状態を示す断面図である。
【図１２】本考案の使用状態を示す立体外観図である。
【図１３】本考案の使用状態を示す立体分解図である。
【考案を実施するための形態】
【００１５】
図１２と図１３に示すように、本考案の好ましい実施例の容器用の交換可能な軸固定式取っ手１は、容器６外縁の連接部６１に組み合わせて取り付けられ、前記連接部６１に通孔６２が設けられ、前記取っ手１が主に、ハンドル２と、キャップ３と、固定機構４を含む。
【００１６】
そのうち、前記ハンドル２は、前記連接部６１の底部に設置された棒体であり、本考案はその外観を限定しておらず、丸棒、多辺形棒などの幾何学形状の棒とすることができ、またその材質も限定しておらず、木材等の靭性を備えた材質で成ることが好ましい。
【００１７】
前記キャップ３は前記連接部６１の頂部に設置され、本考案はその材質を限定しておらず、前記ハンドル２が木材である状態下で、前記キャップ３の材質は硬度が木材より硬い必要がある。逆に、前記キャップ３が木材等の靭性を備えた材質で成る状態下で、前記ハンドル２の材質は硬度が木材より硬い必要がある。
【００１８】
前記固定機構４は相互に螺合可能な第１螺合部４１と第２螺合部４２を備え、前記第１螺合部４１と前記第２螺合部４２が前記ハンドル２の頂部と前記キャップ３の底部にそれぞれ設置され、かつ前記固定機構が前記連接部の通孔に挿通されて、圧迫と螺合により前記連接部６１が力を受けて木材の材質の前記ハンドル２または前記キャップ３内に嵌入され、前記連接部６１が前記ハンドル２と前記キャップ３の間に隠されて固定される。
【００１９】
続いて図１から図６に本考案の別の一実施例を示す。本実施例において、前記キャップ３と前記ハンドル２の間に内側に凹陥した挟持空間５が形成され、かつ前記取っ手１の軸方向に垂直に前記挟持空間５に連通したスロット部５１が設けられる。図２、図３に示すように、前記挟持空間５は前記キャップ３の底部に設けるか、図７から図９に示すように、前記ハンドル２の頂部に設けることができる。前記容器６の連接部６１が前記挟持空間５内に設置され、かつ前記挟持空間５が少なくとも２つの壁面により前記連接部６１を保持する縁部を形成し、前記連接部６１は前記スロット部５１から延出させることができる。前記挟持空間５内に前記連接部６１の通孔６２が配置され、前記連接部６１が前記挟持空間５内に固定される。
【００２０】
図２と図７に示すように、前記第１螺合部４１がネジ孔またはナットであるとき、前記第２螺合部４２はスタッドボルトまたはネジである。逆に、図３、図８、図９に示すように、前記第１螺合部４１がスタッドボルトまたはネジであるとき、前記第２螺合部４２はネジ孔またはナットのいずれかである。上述のスタッドボルトまたはネジは主に局部が前記キャップ３の底部または前記ハンドル２の頂部に嵌設され、局部的に前記キャップ３または前記ハンドル２の外に露出された部分がネジ孔またはナットに螺合される。または、図６に示すように、前記第２螺合部４２がネジである状態下で、前記ネジは前記ハンドル２に軸方向に貫通して設置され、かつ前記ネジの頭部が前記ハンドル２の底部に埋入され、前記ネジの先端部が前記ハンドル２の頂部に露出される。このほか、図９に示すように、前記第２螺合部４２がナットである状態のとき、前記ナットが前記ハンドル２内、または前記キャップ３内に埋め込まれる。
【００２１】
続いて図４から図６及び図１０から図１２に示すように、本考案を実際に容器６に実施した状態では、前記容器６の外縁に連接部６１が設置され、連接部６１に通孔６２が設けられ、前記キャップ３と前記ハンドル２が前記連接部６１の頂面と底面にそれぞれ設置され、前記連接部６１が前記キャップ３の挟持空間５に設置され、かつ前記連接部６１の外縁が前記挟持空間５の壁面５２に当接された後、前記ハンドル２が前記連接部６１の底面から前記キャップ３に螺合される。さらに、前記挟持空間５の高さＨ１は、前記連接部６１の厚みＨ２より小さいため、前記第１螺合部４１と前記第２螺合部４２が一定の距離まで相互に螺合されると、前記キャップ３と前記ハンドル２が前記連接部６１をしっかりと挟み込み、本考案との間で固定が形成される。
【００２２】
上述を受けて、本考案は前記挟持空間５の形状を限定しないが、少なくとも２つの壁面５２を備え、前記連接部６１を保持する縁部を形成する。前記２つの壁面５２が前記連接部６１の異なる方向の外縁にそれぞれ当接され、かつ前記第１螺合部４１または第２螺合部４２の外縁が前記連接部６１の通孔６２の内側に当接されることで、規制が形成される。このほか、前記キャップ３の頂部に斜面３１を設け、前記斜面３１が前記スロット部５１と反対方向に相対し、つまり、前記スロット部５１が前記容器６の方向を向き、前記斜面３１が前記キャップ３の外側に設置され、これにより前記斜面３１の設置を通じて使用者が握った時の快適さを高めることができる。
【００２３】
本考案を容器６の連接部６１に取り付ける、または連接部６１から取り外すとき、工具を使用する必要なく、交換の動作を行うことができる。前記固定機構４が前記挟持空間５内に設置されているため、容器６に取り付けた後、前記固定機構４が外部に露出されず、前記キャップ３と前記ハンドル２の外側表面はなめらかな外観を保持できるため、汚れが入り込む問題の発生を減少することができる。
【符号の説明】
【００２４】
１    取っ手
２    ハンドル
３    キャップ
３１    斜面
４    固定機構
４１    第１螺合部
４２    第２螺合部
５    挟持空間
５１    スロット部
５２    壁面
６    容器    
６１    連接部
６２    通孔
Ｈ１    高さ
Ｈ２    厚み
【図１】
0003233310.tif 000003
【図２】
0003233310.tif 000004
【図３】
0003233310.tif 000005
【図４】
0003233310.tif 000006
【図５】
0003233310.tif 000007
【図６】
0003233310.tif 000008
【図７】
0003233310.tif 000009
【図８】
0003233310.tif 000010
【図９】
0003233310.tif 000011
【図１０】
0003233310.tif 000012
【図１１】
0003233310.tif 000013
【図１２】
0003233310.tif 000014
【図１３】
0003233310.tif 000015